(57)【特許請求の範囲】
【請求項１】
略円筒状の口部を有する容器の、上記口部を密封するために用いられる樹脂製キャップであって、上記容器口部に、着脱自在に嵌合される第１のキャップと、上記第１のキャップの上に冠着される第２のキャップと、２本の連結バンドとが一体的に形成されており、上記第１のキャップが、上記容器口部の上面を覆う上面部と、上記上面部の下面周縁部から下向きに形成され容器口部の外周面と係合する外筒部とを備え、上記第２のキャップが、上記第１のキャップの上面の少なくとも周縁部を覆う天面部と、上記天面部の下面周縁部から下向きに形成され上記第１のキャップの外筒部に外嵌される周壁部とを備え、上記２本の連結バンドの各一端部が、上記第１のキャップの下部の片側に、互いに並んだ状態で連結され、同じく上記２本の連結バンドの各他端部が、上記第２のキャップの下部の片側に、互いに並んだ状態で連結され、上記第２のキャップの、上記２本の連結バンド連結部に挟まれた部分が薄肉に形成されているとともに、その上の、周壁部から天面部にまたがる部分が線状に切欠かれており、上記第１のキャップの上に第２のキャップを冠着した状態で、互いに上下に重なった上記２本の連結バンドの連結部を左右に押し広げ、上記第２のキャップに形成された薄肉部を切断することにより、上記第２のキャップが第１のキャップの上から除去されるようになっていることを特徴とする樹脂製キャップ。
【請求項２】
上記第２のキャップに形成された薄肉部が、幅０．２〜１．０ｍｍ、厚み０．２〜０．８ｍｍに設定されている請求項１記載の樹脂製キャップ。
【請求項３】
上記第１のキャップおよび２本の連結バンドが、ともに厚み０．２〜５．０ｍｍに設定されており、上記第２のキャップが、厚み１．０〜４．０ｍｍに設定されている請求項１または２記載の樹脂製キャップ。
【請求項４】
請求項１〜３のいずれか一項の樹脂製キャップを用いて容器口部の密封および改ざん防止用の封止がなされていることを特徴とする樹脂製キャップ付容器。
【請求項５】
上記容器が、上記樹脂製キャップを除去し、その口部に、中身取り出し用ノズルもしくは開閉キャップを冠着して使用するものである請求項４記載の樹脂製キャップ付容器。
【発明の詳細な説明】
【技術分野】
【０００１】
本発明は、バイアル瓶等の容器を密封するために用いられる樹脂製キャップと、それを用いた樹脂製キャップ付容器に関するものである。
【背景技術】
【０００２】
従来から、バイアル瓶に代表されるような、略円筒状の口部を有する薬用瓶等は、上記口部にフランジ付栓体を嵌合して密封されるようになっている。そして、上記密封性をより高めるとともに第三者による改ざんを防止するために、その密封部分をアルミ等の軟質金属薄板で被覆したり、樹脂キャップに金属製の剥離用タブを取り付けた封止用キャップを冠着したりすることが行われている（例えば、特許文献１参照）。
【０００３】
しかしながら、アルミ等の軟質金属薄板で被覆したものは、きれいに開封するのに時間がかかり、開封用の工具等を用いると、栓体や瓶の口部を傷つけやすいという問題がある。また、金属製の剥離用タブを有する封止用キャップは、開封動作時に、上記剥離用タブの端で手指を負傷するおそれがあり、安全とはいえない。
【０００４】
そこで、このような封止用キャップを、樹脂だけで作製し、簡単に開封することができるものが提案されている（例えば、特許文献２参照）
【特許文献１】特許第２７３９４５５号公報
【特許文献２】特開平９−２３８９９８号公報
【発明の開示】
【発明が解決しようとする課題】
【０００５】
しかしながら、上記特許文献２の封止用キャップは、容器口部と嵌合する部分と、その部分に細い橋部を介して連結される天板とを備え、上記天板を引っ張って橋部を切断することにより天板を除去し、容器口部を蓋する栓体上面のみを露出させるようになっている。このため、上記露出した栓体上面に、注射針を刺して容器内の薬液を抜き取る等の用途には適しているものの、栓体を容器口部から取り外して中身を取り出す場合や、別途用意される中身取り出し用のノズルを上記栓体と取り替えて用いる場合等には、上記封止用キャップを用いることができないという問題がある。また、封止用キャップのうち、容器口部と嵌合する部分が容器側に残っていると、容器がガラス瓶の場合、ガラス製の瓶本体と、樹脂製の上記封止用キャップの残留部分とを、分別して廃棄するのに手間を要するという問題もある。
【０００６】
本発明は、このような事情に鑑みなされたもので、容器口部を密封するだけでなく、その密封部分を効果的に封止し、かつ開封動作が簡単で、開封後はキャップ全体を容器口部から完全に除去することのできる優れた樹脂製キャップと、その樹脂製キャップを用いた容器の提供を、その目的とする。
【課題を解決するための手段】
【０００７】
上記の目的を達成するため、本発明は、略円筒状の口部を有する容器の、上記口部を密封するために用いられる樹脂製キャップであって、上記容器口部に、着脱自在に嵌合される第１のキャップと、上記第１のキャップの上に冠着される第２のキャップと、２本の連結バンドとが一体的に形成されており、上記第１のキャップが、上記容器口部の上面を覆う上面部と、上記上面部の下面周縁部から下向きに形成され容器口部の外周面と係合する外筒部とを備え、上記第２のキャップが、上記第１のキャップの上面の少なくとも周縁部を覆う天面部と、上記天面部の下面周縁部から下向きに形成され上記第１のキャップの外筒部に外嵌される周壁部とを備え、上記２本の連結バンドの各一端部が、上記第１のキャップの下部の片側に、互いに並んだ状態で連結され、同じく上記２本の連結バンドの各他端部が、上記第２のキャップの下部の片側に、互いに並んだ状態で連結され、上記第２のキャップの、上記２本の連結バンド連結部に挟まれた部分が薄肉に形成されているとともに、その上の、周壁部から天面部にまたがる部分が線状に切欠かれており、上記第１のキャップの上に第２のキャップを冠着した状態で、互いに上下に重なった上記２本の連結バンドの連結部を左右に押し広げ、上記第２のキャップに形成された薄肉部を切断することにより、上記第２のキャップが第１のキャップの上から除去されるようになっている樹脂製キャップを第１の要旨とする。
【０００８】
また、本発明は、そのなかでも、特に、上記第２のキャップに形成された薄肉部が、幅０．２〜１．０ｍｍ、厚み０．２〜０．８ｍｍに設定されている樹脂製キャップを第２の要旨とし、上記第１のキャップおよび２本の連結バンドが、ともに厚み０．２〜５．０ｍｍに設定されており、上記第２のキャップが、厚み１．０〜４．０ｍｍに設定されている樹脂製キャップを第３の要旨とする。
【０００９】
そして、本発明は、上記第１〜第３のいずれかの要旨である樹脂製キャップを用いて容器口部の密封および改ざん防止用の封止がなされている樹脂製キャップ付容器を第４の要旨とし、そのなかでも、特に、上記容器が、上記樹脂製キャップを除去し、その口部に、中身取り出し用ノズルもしくは開閉キャップを冠着して使用するものである樹脂製キャップ付容器を第５の要旨とする。
【発明の効果】
【００１０】
すなわち、本発明の樹脂製キャップは、上記第１のキャップを容器口部に嵌合し、その上から上記第２のキャップを冠着することにより、容器口部を密封することができるようになっている。また、上記第１のキャップと第２のキャップを連結する２本の連結バンドは、互いに重なった第１のキャップと第２のキャップの片側で、折り返された状態で左右に並ぶようになっている。
【００１１】
したがって、上記容器口部を開封して使用する場合は、上記２本の連結バンドの、折り返されて互いに上下に重なる連結部を左右に押し広げることにより、上記第２のキャップの、上記２本の連結バンド連結部に挟まれた薄肉部を切断して、上記第２のキャップを、第１のキャップの上から、簡単に除去することができるようになっている。そして、露出した第１のキャップは、容器口部から簡単に外すことができるため、これを外すことにより、上記第１のキャップと２本の連結バンドと第２のキャップとを、一続きで除去することができる。
【００１２】
このように、本発明の樹脂製キャップによれば、上記第１のキャップと第２のキャップを重ねて冠着することにより、容器口部の密封と、改ざん防止のための封止とを、同時に行うことができる。そして、上記一続きで除去される第１のキャップと２本の連結バンドと第２のキャップは、一体的に形成された樹脂成形品であり、分別ごみとして簡単に廃棄処分することができる。
【００１３】
なお、本発明の樹脂製キャップのなかでも、特に、上記第２のキャップに形成された薄肉部が、幅０．２〜１．０ｍｍ、厚み０．２〜０．８ｍｍに設定されているものは、開封時の切断動作をスムーズに行うことができ、好適である。
【００１４】
また、本発明の樹脂製キャップのなかでも、特に、上記第１のキャップおよび２本の連結バンドが、ともに厚み０．２〜５．０ｍｍに設定されており、上記第２のキャップが、厚み１．０〜４．０ｍｍに設定されているものは、全体が同一樹脂で一体成形されたものであっても、上記第１のキャップおよび２本の連結バンドが適度な可撓性を備え、一方、第２のキャップは、第１のキャップと強固に嵌合させることができ、好適である。
【００１５】
そして、本発明の樹脂製キャップ付容器は、上記樹脂製キャップによって密封と改ざん防止が同時になされており、簡単な構成で安全が確保されている。また、上記樹脂製キャップの開封動作が容易で使い勝手がよい。しかも、すでに述べたように、分別ごみとして、上記樹脂製キャップおよび容器を別々に廃棄処分することができ、処分が容易である。
【００１６】
特に、本発明の樹脂製キャップ付容器は、樹脂製キャップが容器口部から完全に除去されるようになっているため、この容器口部を利用して、その口部に、中身取り出し用ノズルや開閉キャップを冠着して使用する用途に用いることが最適であり、例えば、薬用瓶の他、乳液や美容エッセンス等を収容する化粧料容器として用いることが好適である。
【発明を実施するための最良の形態】
【００１７】
つぎに、本発明を実施するための最良の形態について説明する。ただし、本発明は、この実施の形態に限られるものではない。
【００１８】
図１は、本発明の最良の実施形態の一例を示す斜視図、図２は、そのＡ−Ａ′断面図である。これらの図において、１はガラス製のバイアル瓶で、胴部２と、胴部２より縮径された略円筒状の口部３とを備えている。なお、上記口部３の上端部には、外向きのフランジ部３ａが形成されている。
【００１９】
また、上記バイアル瓶１の口部３には、樹脂製キャップ５が冠着されている。この樹脂製キャップ５は、ポリプロピレン製の一体成形品からなり、上記口部３に嵌合される第１のキャップ６と、上記第１のキャップ６の上に冠着される第２のキャップ７と、これらのキャップ６、７を連結する２本の連結バンド８、９とで構成されている。
【００２０】
より詳しく説明すると、上記第１のキャップ６は、バイアル瓶１の口部３の上面を覆う上面部１０と、上記上面部１０の下面から下向きに形成され上記口部３に嵌入される内筒部１１と、上記上面部１０の外周縁から下向きに形成され上記口部３の外周面と係合する外筒部１２とを備えている。また、上記外筒部１２の外周面には、環状突起１３が形成されており、上から冠着された第２のキャップ７の周壁部１６に形成された環状溝１６ａ（図３参照）と嵌合している。そして、この部分が強く締め込まれており、容器口部３に対する密閉性が高められているとともに、第１のキャップ６および第２のキャップ７の抜け止めがなされている。なお、上記外筒部１２の下端部には、外向きのフランジ部１４が形成されている。
【００２１】
一方、上記第２のキャップ７は、上記第１のキャップ６の上面の周縁部を環状に覆う天面部１５と、上記天面部１５の下面周縁部から下向きに形成され上記第１のキャップ６の外筒部１２に外嵌される周壁部１６とを備えている。そして、上記第２のキャップ７は、強い圧力をかけて第１のキャップ６に冠着されており、すでに述べたように、上記第１のキャップ６の外筒部１２に設けられた環状突起１３と、周壁部１６に設けられた環状溝１６ａとが嵌合して、第１のキャップ６を、内側に強く締め込んでいる。
【００２２】
また、上記第１のキャップ６と第２のキャップ７とを連結する２本の連結バンド８、９は、平たい帯状をしており、その各一端部が、上記第１のキャップ６の下端に設けられたフランジ部１４の片側に、互いに並んだ状態で連結されている。そして、その各他端部が、上記第２のキャップ７の周壁部１６の下部の片側に、互いに並んだ状態で連結されている。なお、上記第１のキャップ６と第２のキャップ７とを連結する２本の連結バンド８、９とで構成された樹脂製キャップ５を、バイアル瓶１の口部３に冠着させる前の状態を図３に示す。また、その平面図を図４に示す。
【００２３】
これらの図からわかるように、上記２本の連結バンド８、９は、両端の連結部以外の中間部が、互いの間隔がやや広くなっている。そして、第２のキャップ７を第１のキャップ６の上に冠着させる動作時に、上記２本の連結バンド８、９の中間部が、円弧状に巻かれたきれいな形になるように、この部分に、緩やかなＲがつけられている（図２参照）。
【００２４】
また、上記第２のキャップ７の、２本の連結バンド８、９との連結部は、上記第２のキャップ７を下から見上げた図５に示すように、上記連結部に挟まれた部分が、所定幅（例えば１ｍｍ）だけ薄肉に形成されている。そして、この薄肉部１８から上の、周壁部１６から天面部１５にまたがる部分に、同様の線幅（例えば１ｍｍ）の切欠き線１９が形成されている。
【００２５】
したがって、図６に示すように、上記樹脂製キャップ５の片側に、円弧状に巻かれた状態で左右に並ぶ２本の連結バンド８、９の中間部に指をかけて、互いに上下に重なったその連結部を、矢印Ｐで示すように、左右に押し広げると、上記連結部に挟まれた薄肉部１８が切断されて、第２のキャップ７が、第１のキャップ６の上から外れるようになっている。そして、露出した第１のキャップ６は、バイアル瓶１の口部３から簡単に外すことができるため、これを外すことにより、上記第１のキャップ６と２本の連結バンド８、９と第２のキャップ７とを、一続きで除去することができる。
【００２６】
このように、上記樹脂製キャップ５が冠着されたバイアル瓶１は、上記樹脂製キャップ５によって密封されると同時に封止されて、改ざん防止がなされているため、安全である。
【００２７】
そして、使用する場合は、すでに述べたように、上記樹脂製キャップ５の片側に円弧状巻かれた状態で並ぶ２本の連結バンド８、９に指をかけて、そのキャップ６、７との連結部を左右に押し広げて、上記第２のキャップ７の、上記２本の連結バンド連結部に挟まれた薄肉部を切断する、という簡単な動作によって、第２のキャップ７を外し、第１のキャップ６、連結バンド８、９とともに、これらを一続きで、バイアル瓶１の口部３の周囲から完全に除去して、バイアル瓶１の口部３を露出させることができる。そして、取り外された第１のキャップ６と第２のキャップ７と連結バンド８、９、からなる樹脂製キャップ５は、分別ごみとして、簡単に廃棄処分することができる。
【００２８】
また、上記バイアル瓶１は、例えば図７に示すように、中身を少量ずつ取り出すことのできる樹脂製ノズル３０を冠着して使用する場合があるが、上記樹脂製キャップ５の除去によって、即座にバイアル瓶１の口部３を完全に露出させることができるため、上記樹脂製キャップ５と上記樹脂製ノズル３０との交換を、簡単に行うことができるという利点を有する。また、上記樹脂製ノズル３０に限らず、開閉式の樹脂キャップ等、各種の部材を口部３に冠着する場合も、同様の利点を有する。
【００２９】
なお、上記の例において、樹脂製キャップ５の材質は、ポリプロピレンに限らず、各種の樹脂を用いることができるが、可撓性、成形性等の点から、ポリプロピレン、ポリエチレン等のオレフィン系樹脂を用いることが好適である。
【００３０】
また、上記の例において、上記第２のキャップ７の、２本の連結バンド８、９連結部に挟まれた部分に形成される薄肉部１８の幅と厚みは、特に限定するものではないが、樹脂製キャップ５の材質に応じて、この部分を左右に押し広げた場合に、容易にこれを切断できる程度の幅と厚みに設定される。通常、その幅は、０．２〜１．０ｍｍに設定することが好適であり、その厚みは、０．２〜０．８ｍｍに設定することが好適である。
【００３１】
さらに、上記第１のキャップ６と、２本の連結バンド８、９の厚みは、樹脂製キャップ５の材質によるが、これらの部分が適度の可撓性を備えるような厚みに設定することが好適である。通常、その厚みを、０．２〜５．０ｍｍに設定することが好適である。ただし、第１のキャップ６の環状突起１３が形成された部分の厚みは、上記の範囲よりも厚く設定しても差し支えない。
【００３２】
そして、上記第２のキャップ７の厚みも、樹脂製キャップ５の材質等に応じて適宜に設定されるが、第１のキャップ６の上からこれを冠着させる場合に、高い圧力をかけても充分に耐えうるよう、通常、その厚みを、１．０〜４．０ｍｍに設定することが好適である。ただし、上記第２のキャップ７の薄肉部１８が形成された部分の厚みは、上記の範囲よりも薄く設定される。
【００３３】
なお、上記の例では、２本の連結バンド８、９の連結部を押し広げて、連結バンド８、９の連結部に挟まれた薄肉部１８を切断して、第２のキャップ７を除去するようにしたが、上記第１のキャップ６と２本の連結バンド８、９の連結部に、薄肉部を形成したり、断続的な切欠き線を設けたりして、上記押し広げ動作によって、第１のキャップ６と２本の連結バンド８、９の連結部を、同時に切断するようにしても差し支えない。このようにすると、第２のキャップ７と２本の連結バンド８、９を一続きで除去し、第１のキャップ６は、バイアル瓶１の口部３に残すことができるため、この第１のキャップ６を、バイアル瓶１の蓋体として利用することができる。
【００３４】
また、上記の例では、第１のキャップ６に、上面部１０から下向きに内筒部１１を形成し、これをバイアル瓶１の口部３に嵌入しているが、上記内筒部１１は、必ずしも必要ではない。少なくとも、上記口部３に係合する外筒部１２が設けられていれば足りる。
【００３５】
さらに、上記の例では、第２のキャップ７の天面部１５が環状に形成されており、その中央が開口しているが、第１のキャップ６を全面的に覆うものであっても差し支えない。ただし、その場合は、周壁部１６側から延びる切欠き線１９が、上記天面部１５を横切るよう延長されていなければならない。
【００３６】
そして、本発明の樹脂製キャップ５を取り付ける容器としては、上記の例におけるバイアル瓶１に限らず、各種の容器を用いることができる。ただし、樹脂製キャップ５を冠着させる必要から、略円筒状口部３を有する構造のものでなければならない。
【図面の簡単な説明】
【００３７】
【図１】本発明の一実施例を示す斜視図である。
【図２】図１のＡ−Ａ′断面図である。
【図３】上記実施例において、樹脂製キャップを取り付ける前の状態を示す斜視図である。
【図４】上記樹脂製キャップの平面図である。
【図５】上記実施例の第２のキャップと連結バンドの連結部を下から見上げた状態を示す部分的な説明図である。
【図６】上記実施例の開封動作の説明図である。
【図７】上記実施例の容器の使用態様の説明図である。
【符号の説明】
【００３８】
１  バイアル瓶
３  口部
５  樹脂製キャップ
６  第１のキャップ
７  第２のキャップ
８、９  連結バンド
１０  上面部
１５  天面部
１６  周壁部
【図１】
0004731349.tif 000002
【図２】
0004731349.tif 000003
【図３】
0004731349.tif 000004
【図４】
0004731349.tif 000005
【図５】
0004731349.tif 000006
【図６】
0004731349.tif 000007
【図７】
0004731349.tif 000008